(57)【特許請求の範囲】
【請求項１】
平面計画的に、ユーティリティ領域と、前記ユーティリティ領域に隣接する通路領域と、前記通路領域を挟んで前記ユーティリティ領域と対向する状態で外壁に沿って設けた居室領域と、を備えた医療施設又は介護施設において、
複数の柱と複数の大梁とを剛接合したラーメン構造により剛構造に構成した第１構造部と、前記第１構造部に隣接する第２構造部と、を備え、
前記第１構造部に前記ユーティリティ領域を備え、
前記第２構造部は、前記外壁のうちの前記居室領域に接する居室側外壁を含むとともに、前記通路領域と前記居室領域とを備え、
階層における前記ユーティリティ領域にスタッフスペースを備えると共に、当該階層における前記居室領域に病室又は居室を備え、
前記居室側外壁は、横断面を扁平に形成した複数の外壁用構造体を間隔をあけて配置して構成し、
前記居室側外壁と前記第１構造部とを床用構造体にて接合することにより、前記第２構造部を剛構造に構成し、
前記外壁用構造体の間隔は、前記第１構造部の前記柱の間隔よりも小さい医療施設又は介護施設。
【請求項２】
前記ユーティリティ領域に居室を備え、
前記居室側外壁は、複数の前記外壁用構造体にわたる梁を備えるとともに、前記外壁用構造体の配置が異なる平行配置領域と雁行配置領域とを有し、
前記平行配置領域においては、複数の前記外壁用構造体を、前記横断面の長手方向が前記梁の材軸方向と一致する姿勢で前記材軸方向に沿って配置し、
前記雁行配置領域においては、複数の前記外壁用構造体を、前記横断面の長手方向が前記材軸方向と交差する姿勢で前記材軸方向に沿って配置している請求項１に記載の医療施設又は介護施設。
【請求項３】
前記第２構造体は、同一階に複数の前記居室領域を備え、
前記ユーティリティ領域は、複数の吹抜けを、複数の前記居室領域が前記通路領域を挟んでいずれかの前記吹抜けと対向するように分散配備し、
前記居室領域ごとに空気調和ユニットを配備し、
前記空気調和ユニットは、給気又は排気を、対応する前記居室領域が対向する前記吹抜けに対して行うように構成している請求項１又は２記載の医療施設又は介護施設。
【請求項４】
前記空気調和ユニットは、前記吹抜けから給気し、対応する居室領域側の屋外に排気するように構成している請求項３に記載の医療施設又は介護施設。
【発明の詳細な説明】
【技術分野】
【０００１】
本発明は、平面計画的に、ユーティリティ領域と、前記ユーティリティ領域に隣接する通路領域と、前記通路領域を挟んで前記ユーティリティ領域と対向する状態で外壁に沿って設けた居室領域と、を備えた建築物に関する。
【背景技術】
【０００２】
上記のような建築物の一例としては、コアウォールより中央側を共用ゾーン（ユーティリティ領域）とし、境界梁より外周側の領域全体を住戸ゾーン（居室領域）とし、コアウォールと境界梁とで囲まれた領域を、共用ゾーンと住戸ゾーンとを連絡する共用廊下（通路領域）とした集合住宅建物がある（例えば特許文献１参照）。そして、この集合住宅建物においては、共用廊下と住戸ゾーンとの境界に、横断面を正方形に形成した４本の境界柱を備え、これらの境界柱間に境界梁を設けている。又、住戸ゾーンを取り囲む外周壁を、横断面を正方形に形成した複数の外周柱と外周柱間に架設した外周梁とからラーメン架構に構成している。
【０００３】
又、建築物の一例である療養施設においては、療養施設の外壁を、平面視で鋸歯のような凹凸状になるように、横断面を略正方形などに形成した柱（構造柱）の間に複数の外壁（非構造壁）を配備して構成したものがある（例えば特許文献２参照）。そして、この療養施設においては、凹凸状に形成した外壁の所定箇所に窓を設けるとともに、外壁の各凸状部にベッドの頭部側が収まるように複数のベッドを配備することにより、プライバシーを守りながら各ベッドからの眺望を平等に確保できるようにしている。
【先行技術文献】
【特許文献】
【０００４】
【特許文献１】特開２００２−２２７４３５号公報（段落番号０００７、００１１、００１４、図１）
【特許文献２】特開２００６−１６１３９５号公報（段落番号００１５〜００２２、００２５、図１）
【発明の概要】
【発明が解決しようとする課題】
【０００５】
上記の構成では、居室側での剛性を確保するために、通路領域と居室領域との間や居室側の外壁に複数の柱を備えることから、各柱の配置により、居室領域での間取りや通路領域の通路幅などを計画する上において制約を受けることになる。つまり、居室領域及び通路領域でのゾーニングの自由度を高める上において改善の余地がある。
【０００６】
又、外壁に備える各柱の横断面、及び、居室領域と通路領域との境界に備える各柱の横断面が、Ｘ軸方向の長さとＹ軸方向の長さとが同じ又は略同じになる正方形などであることにより、各柱が、外壁の壁面、又は、居室領域と通路領域との境界に備える仕切り壁の壁面から、居室領域又は通路領域に張り出すことになり、その分、居室領域及び通路領域が狭くなる。つまり、居室領域及び通路領域を有効に使用する上において改善の余地がある。
【０００７】
本発明の目的は、居室領域及び通路領域でのゾーニングの自由度を高めるとともに、居室領域及び通路領域をより有効に使用できるようにすることにある。
【課題を解決するための手段】
【０００８】
本発明の課題解決手段では、
平面計画的に、ユーティリティ領域と、前記ユーティリティ領域に隣接する通路領域と、前記通路領域を挟んで前記ユーティリティ領域と対向する状態で外壁に沿って設けた居室領域と、を備えた医療施設又は介護施設において、
複数の柱と複数の大梁とを剛接合したラーメン構造により剛構造に構成した第１構造部と、前記第１構造部に隣接する第２構造部と、を備え、
前記第１構造部に前記ユーティリティ領域を備え、
前記第２構造部は、前記外壁のうちの前記居室領域に接する居室側外壁を含むとともに、前記通路領域と前記居室領域とを備え、
階層における前記ユーティリティ領域にスタッフスペースを備えると共に、当該階層における前記居室領域に病室又は居室を備え、
前記居室側外壁は、横断面を扁平に形成した複数の外壁用構造体を間隔をあけて配置して構成し、
前記居室側外壁と前記第１構造部とを床用構造体にて接合することにより、前記第２構造部を剛構造に構成し、
前記外壁用構造体の間隔は、前記第１構造部の前記柱の間隔よりも小さい。
【０００９】
この手段によると、第２構造部を剛構造に構成する上において、通路領域と居室領域とのそれぞれに複数の構造柱を配備する必要がない。又、居室側外壁を構成する上において、複数の構造柱が居室側外壁の壁面から居室領域に張り出す不具合を無くすことができる。
【００１０】
これにより、居室領域での間取りや通路領域の通路幅などを計画する上において、複数の構造柱による制約がなくなるとともに、居室領域及び通路領域を無駄なく使用することができる。
【００１１】
つまり、居室領域及び通路領域でのゾーニングの自由度を高めることができるとともに、居室領域及び通路領域をより有効に使用することができる。
【００１２】
本発明をより好適なものにするための手段の一つとして、
前記ユーティリティ領域に居室を備え、
前記居室側外壁は、複数の前記外壁用構造体にわたる梁を備えるとともに、前記外壁用構造体の配置が異なる平行配置領域と雁行配置領域とを有し、
前記平行配置領域においては、複数の前記外壁用構造体を、前記横断面の長手方向が前記梁の材軸方向と一致する姿勢で前記材軸方向に沿って配置し、
前記雁行配置領域においては、複数の前記外壁用構造体を、前記横断面の長手方向が前記材軸方向と交差する姿勢で前記材軸方向に沿って配置している。
【００１３】
この手段によると、平行配置領域においては、複数の外壁用構造体により形成する壁面が面一になる外壁を形成することができ、雁行配置領域においては、複数の外壁用構造体により形成する壁面が鋸刃状になる外壁を形成することができる。
【００１４】
これにより、居室領域には、壁面を面一に形成した外壁に接する居室と、壁面を鋸刃状に形成した外壁に接する居室とを備えることができる。そして、ユーティリティ領域には、外壁に接していない居室を備えることができる。
【００１５】
従って、多様なニーズに応じた種々の居室を備えることができる。
【００１６】
本発明をより好適なものにするための手段の一つとして、
前記第２構造体は、同一階に複数の前記居室領域を備え、
前記ユーティリティ領域は、複数の吹抜けを、複数の前記居室領域が前記通路領域を挟んでいずれかの前記吹抜けと対向するように分散配備し、
前記居室領域ごとに空気調和ユニットを配備し、
前記空気調和ユニットは、給気又は排気を、対応する前記居室領域が対向する前記吹抜けに対して行うように構成している。
【００１７】
この手段によると、ユーティリティ領域の各吹抜けからの各居室領域及び通路領域への自然光の取り入れが可能になる。これにより、各居室領域及び通路領域での居心地の向上、及び、光熱費の削減、などを図ることができる。
【００１８】
又、各居室領域ごとに配備した空気調和ユニットから吹抜けにわたる空調ダクトを、対向する居室領域と吹抜けとにわたって最短に形成することができる。つまり、各空気調和ユニットを合理的に配備することができる。
【００１９】
本発明をより好適なものにするための手段の一つとして、
前記空気調和ユニットは、前記吹抜けから給気し、対応する居室領域側の屋外に排気するように構成している。
【００２０】
この手段によると、対応する吹抜けから居室領域に給気することにより、各吹抜けに対する上方からの新鮮外気の流入を促進させることができる。
【００２１】
その結果、各吹抜けへの新鮮外気の取り入れを良好に行えるとともに、各居室領域に供給する空気の清浄性を向上させることができる。
【図面の簡単な説明】
【００２２】
【図１】医療施設における病棟階の横断平面図である。
【図２】医療施設の縦断面図である。
【図３】居室側外壁の構成などを示す要部の横断平面図である。
【図４】雁行配置領域での居室側外壁の構成などを示す要部の斜視図である。
【図５】３面の外壁が各居室領域に接する居室側外壁となる別実施形態を示す病棟階の概略横断平面図である。
【図６】隣接する２面の外壁が各居室領域に接する居室側外壁となる別実施形態を示す病棟階の概略横断平面図である。
【図７】対向する２面の外壁が各居室領域に接する居室側外壁となる別実施形態を示す病棟階の概略横断平面図である。
【図８】居室領域の配置などが異なる複数の建物を渡り廊下で連結した別実施形態を示す病棟階の概略横断平面図である。
【発明を実施するための形態】
【００２３】
以下、本発明を実施するための形態の一例として、本発明を、建築物の一例である医療施設に適用した実施形態を図面に基づいて説明する。
【００２４】
図１及び図２に示すように、本実施形態で例示する医療施設は、ＲＣ造であり、コア部となる第１構造部１と、第１構造部１を取り囲む状態で第１構造部１に隣接する第２構造部２とを備えて、複数の階層を有するように建造している。そして、複数の階層のうち、少なくとも上下に隣接する２つの階層を病棟階として備えている。
【００２５】
第１構造部１は、複数の柱３と複数の大梁４と複数の小梁５などとを剛接合したラーメン構造により剛構造に構成している。又、複数の大梁４及び小梁５などで支持される床用構造体６を備えている。第１構造部１の床用構造体６は、複数の大梁４及び小梁５などと一体に打設したコンクリートスラブで構成している。
【００２６】
第２構造部２は、４面の外壁７Ａ〜７Ｄを有する外周壁７と第１構造部１とを床用構造体８にて接合することにより剛構造に構成している。第２構造部２の床用構造体８は、大スパンに適した高強度を有するようにＰＣ鋼線によってプレストレスを与えた軽量で厚みの薄いコンクリートパネルで構成している。そして、第２構造部２の床用構造体８を、端部固定度を低減した状態で第１構造部１と各外壁７Ａ〜７Ｄとにわたる４本の大梁（鉄骨梁）９で支持している。これにより、第２構造部２での天井高を高くしている。又、天井懐１０の融通性を高めている。
【００２７】
図１〜４に示すように、各病棟階は、平面計画的に、四角形のユーティリティ領域Ａ１、ユーティリティ領域Ａ１を取り囲む状態でユーティリティ領域Ａ１に隣接する四角枠形の通路領域Ａ２、及び、通路領域Ａ２を挟んでユーティリティ領域Ａ１と対向する状態で各外壁７Ａ〜７Ｄに沿って設けた４箇所の居室領域Ａ３、などを備えている。そして、ユーティリティ領域Ａ１を第１構造部１に備えている。又、通路領域Ａ２及び４つの居室領域Ａ３などを第２構造部２に備えている。
【００２８】
外周壁７は、その全外壁７Ａ〜７Ｄが各居室領域Ａ３に接する居室側外壁Ｂであり、第２構造部２に含まれている。居室側外周壁Ｂは、横断面を扁平に形成した複数の壁柱（外壁用構造体の一例）１１を、外壁形成方向に所定間隔をあけて配置した状態で備えている。又、複数の壁柱１１にわたる複数の扁平の梁１２を備えている。そして、複数の壁柱１１と複数の梁１２とを剛接合したラーメン構造により、居室側外周壁Ｂを剛構造に構成している。各壁柱１１は、構造柱としての強度を有するように適正な配筋を施している。
【００２９】
居室側外周壁Ｂは、壁柱１１の配置が異なる平行配置領域Ｂａと雁行配置領域Ｂｂとを有している。具体的には、居室側外周壁Ｂは、植栽を施した外庭に面する北東側の外壁７Ａと南西側の外壁７Ｃとを形成する領域を平行配置領域Ｂａとしている。又、隣家や一般道に面する南東側の外壁７Ｂと西日が射す北西側の外壁７Ｄとを形成する領域を雁行配置領域Ｂｂとしている。そして、平行配置領域Ｂａにおいては、各壁柱１１を、各壁柱１１における横断面の長手方向が梁１２の材軸方向と一致する姿勢で梁１２の材軸方向に沿って配置している。又、雁行配置領域Ｂｂにおいては、各壁柱１１を、各壁柱１１における横断面の長手方向が梁１２の材軸方向と交差する姿勢で梁１２の材軸方向に沿って配置している。これにより、平行配置領域Ｂａに配置する各壁柱１１は、各壁柱１１で形成する北東側の外壁７Ａと南西側の外壁７Ｃとを面一にする面一壁柱１１Ａとなっている。又、雁行配置領域Ｂｂに配置する各壁柱１１は、各壁柱１１で形成する北東側の外壁７Ｂと南西側の外壁７Ｄとを鋸刃状にする傾斜壁柱１１Ｂとなっている。そして、隣接する面一壁柱１１Ａの間、及び、隣接する面一壁柱１１Ａと傾斜壁柱１１Ｂとの間に、梁１２の材軸方向に沿う第１窓１３を備えている。又、隣接する傾斜壁柱１１Ｂの間に、平面視形状がＬ字形の第２窓１４を備えている。
【００３０】
つまり、居室側外周壁Ｂは、平行配置領域Ｂａにおいては、１つの面一壁柱１１Ａと１つの第１窓１３とを１つのユニットにして、平行配置領域Ｂａの梁１２の材軸方向に沿って併設し、又、雁行配置領域Ｂｂにおいては、１つの傾斜壁柱１１Ｂと１つの第２窓１４とを１つのユニットにして、雁行配置領域Ｂｂの梁１２の材軸方向に沿って併設することにより、簡単に構成することができる。つまり、居室側外周壁Ｂの施工を効率良く行うことができる。
【００３１】
北西側の外壁７Ｄにおいては、各傾斜壁柱１１Ｂの幅広の壁面が更に西向きになって、西日をより効果的に遮蔽する状態が得られるようにするために、各傾斜壁柱１１Ｂを、それらの横断面の長手方向が梁１２の材軸方向と交差する姿勢となるように配置している。
【００３２】
図１〜３に示すように、各病棟階のユーティリティ領域Ａ１は、３箇所の吹抜け１５、居室スペース１６、スタッフスペース１７、３箇所の共用スペース１８、及び、通路スペース１９、などを備えている。
【００３３】
各吹抜け１５は、最下位の病棟階に備えた３箇所の中庭２０を上方に開放している。これにより、ユーティリティ領域Ａ１への自然光の取り入れ、並びに、各吹抜け１５及び各中庭２０への新鮮外気の取り入れ、などを可能にしている。又、火災発生時には、各吹抜け１５による自然排煙を可能にしている。
【００３４】
各吹抜け１５は、４箇所の居室領域Ａ３が通路領域Ａ２を挟んでいずれかの吹抜け１５と対向するように分散配備している。具体的には、３箇所の吹抜け１５のうち、北側の第１吹抜け１５Ａが、４箇所の居室領域Ａ３のうちの北東側の第１居室領域Ａ３ａと、通路領域Ａ２を挟んで対向している。又、東側の第２吹抜け１５Ｂが、第１居室領域Ａ３ａ及び南東側の第２居室領域Ａ３ｂと、通路領域Ａ２を挟んで対向している。そして、西側の第３吹抜け１５Ｃが、南西側の第３居室領域Ａ３ｃ及び北西側の第４居室領域Ａ３ｄと、通路領域Ａ２を挟んで対向している。これにより、各吹抜け１５からの通路領域Ａ２及び各居室領域Ａ３への自然光の取り入れを可能にしている。
【００３５】
居室スペース１６は、第２吹抜け１５Ｂの北西側に隣接している。そして、居室スペース１６に、２つの病室（居室の一例）２１を備えている。居室スペース１６の各病室２１は１床室型で、第２吹抜け１５Ｂからの自然光の取り入れを可能にする窓２２を備えている。これにより、光熱費の削減を図りながら、居室スペース１６の各病室２１を明るく快適にすることができ、各病室２１での居心地を良くすることができる。
【００３６】
スタッフスペース１７は、第１吹抜け１５Ａの南東側に隣接し、第２吹抜け１５Ｂの北西側、及び、居室スペース１６の北東側と北西側とに隣接している。スタッフスペース１７には、作業コーナー２３及びスタッフ用の休憩室２４などを備えている。作業コーナー２３は、居室スペース１６の各病室２１に対する直接的な出入りを可能にするドア（図示せず）を備えている。これにより、作業コーナー２３と居室スペース１６の各病室２１との間の動線を最短にすることができ、居室スペース１６の各病室２１を看護度の高い患者用とすることができる。作業コーナー２３及びスタッフ用の休憩室２４は、第１吹抜け１５Ａ又は第２吹抜け１５Ｂからの自然光の取り入れを可能にする窓２６，２７を備えている。これにより、光熱費の削減を図りながら、作業コーナー２３及びスタッフ用の休憩室２４を明るく快適にすることができ、作業コーナー２３及びスタッフ用の休憩室２４での看護士などのスタッフの居心地を良くすることができる。
【００３７】
３箇所の共用スペース１８のうち、北側の第１共用スペース１８Ａは、第１吹抜け１５Ａの北西側に隣接している。第１共用スペース１８Ａには、デイコーナー２８及び面談室２９などを備えている。デイコーナー２８及び面談室２９は、第１吹抜け１５Ａからの自然光の取り入れを可能にする窓３０を備えている。これにより、光熱費の削減を図りながら、デイコーナー２８及び面談室２９を明るく快適にすることができ、デイコーナー２８及び面談室２９での見舞客や患者などの居心地を良くすることができる。南側の第２共用スペース１８Ｂは、各吹抜け１５に隣接しておらず、各階層に連通するエレベータホール３２及び階段室３３などを備えている。南西側の第３共用スペース１８Ｃは、第３吹抜け１５Ｃの北東側と南東側とに隣接している。第３共用スペース１８Ｃには、洗面コーナー３４及び浴室３５などを備えている。洗面コーナー３４及び浴室３５は、第３吹抜け１５Ｃからの自然光の取り入れを可能にする窓３６，３７を備えている。これにより、光熱費の削減を図りながら、洗面コーナー３４及び浴室３５を明るく快適にすることができ、洗面コーナー３４及び浴室３５での患者の居心地を良くすることができる。
【００３８】
通路スペース１９は、ユーティリティ領域Ａ１を北東側と南西側とに略２等分し、かつ、ユーティリティ領域Ａ１の南西側を北西側と南東側とに略２等分する平面視Ｔ字状の廊下３８を備えている。そして、廊下３８の北西側が第１吹抜け１５Ａの南西側に隣接し、かつ、廊下３８の南東側が第２吹抜け１５Ｂの南西側に隣接している。廊下３８は、第１吹抜け１５Ａ及び第２吹抜け１５Ｂに面する壁面３８Ａの略全体を、第１吹抜け１５Ａ及び第２吹抜け１５Ｂからの自然光の取り入れを可能にする透明のガラス板などの壁材により構成している。これにより、光熱費の削減を図りながら廊下３８の北西側と南東側とを明るくすることができる。
【００３９】
通路領域Ａ２は、ユーティリティ領域Ａ１と４箇所の居室領域Ａ３との間においてユーティリティ領域Ａ１を取り囲む回廊４０を備えている。そして、この回廊４０を、スタッフスペース１７に連通する廊下３８に接続することにより、北東側のスタッフスペース１７と南西側の各居室領域Ａ３との間の動線を短くしている。回廊４０は、各吹抜け１５に面する壁面４０Ａの略全体を、各吹抜け１５からの自然光の取り入れを可能にする透明のガラス板などの壁材により構成している。
【００４０】
図１〜４に示すように、４箇所の居室領域Ａ３のうち、第１居室領域Ａ３ａは、複数の１床室型の病室（居室）４１を備えている。１床室型の各病室４１は、それぞれが１つの第１窓１３を有するように区画形成している。第２居室領域Ａ３ｂ及び第４居室領域Ａ３ｄは、複数の四床室型の病室（居室）４２と複数の１床室型の病室（居室）４３とを備えている。四床室型の各病室４２は、１つの傾斜壁柱１１Ｂと１つの第２窓１４とで得られる領域を１床分として４床分を確保したいわゆる個室的ＩＣＵ型四床室である。１床室型の各病室４３は、２つの傾斜壁柱１１Ｂと２つの第２窓１４とで得られる領域を１床分としている。第３居室領域Ａ３ｃは、複数の四床室型の病室（居室）４４を備えている。第３居室領域Ａ３ｃの四床室型の各病室４４は、壁際に備えた２床分の領域と回廊側に備えた２床分の領域とから４床分を確保したいわゆる一般型四床室である。
【００４１】
個室的ＩＣＵ型四床室の各病室４２においては、４床分の各領域に、ベッド４５を、壁際を頭部側とした傾斜壁柱１１Ｂに対する直交姿勢で配備している。これにより、患者側としては、ベッド上で顔を第２窓１４に向けることで、隣人と視線を合わせることなく眺望を得ることができる。又、外部からの人目を極力避けた状態で第２窓１４から自然光を取り入れることができる。つまり、患者のプライバシーを守りながら、患者に居心地の良い環境を提供することができる。特に、北西側の第４居室領域Ａ３ｄに備える個室的ＩＣＵ型四床室の各病室４２においては、各傾斜壁柱１１Ｂにて西日を遮蔽することができ、これにより、西日による居心地の低下を改善することができる。又、看護側としては、各ベッド上の患者に対する回廊側の出入口４６からの動線が短くなるとともに、各患者に対して目が行き届き易くなる。つまり、個室的ＩＣＵ型四床室の各病室４２は、看護度は比較的高いが眺望などを望む患者用とすることができる。
【００４２】
第２居室領域Ａ３ｂ及び第４居室領域Ａ３ｄの１床室型の各病室４３においては、２床分の広い領域に、単一のベッド４５を、壁際を頭部側とした傾斜壁柱１１Ｂに対する直交姿勢で配備している。これにより、患者側としては、広い専有面積が得られるとともに、外部からの人目を極力避けた状態で、眺望を得ることができ、かつ、第２窓１４から自然光を取り入れることができる。つまり、患者のプライバシーを守りながら、より居心地の良い環境を患者に提供することができる。特に、北西側の第４居室領域Ａ３ｄに備える各病室４３においては、各傾斜壁柱１１Ｂにて西日を遮蔽することができ、これにより、西日による居心地の低下を改善することができる。つまり、第２居室領域Ａ３ｂ及び第４居室領域Ａ３ｄに備えた１床室型の各病室４３は、より快適な環境を望む患者用とすることができる。
【００４３】
一般型四床室の各病室４３においては、壁際の２床分の各領域と回廊側の２床分の各領域とにベッド４５を配備している。これにより、壁際の患者は、眺望及び採光を得ることができるが、回廊側の出入口４７からの動線が長くなり、看護士の目が行き届き難くなる。一方、回廊側の患者は、眺望及び採光を得難くなるが、回廊側の出入口４７からの動線が短くなり、看護士の目が行き届き易くなる。つまり、一般型四床室の各病室４３は、壁際を、看護度が比較的低く眺望などを望む患者用とすることができ、又、回廊側を、看護度が比較的高く眺望などを殆ど望まない患者用とすることができる。
【００４４】
第１居室領域Ａ３ａと第４居室領域Ａ３ｄとの間には、各第１窓１３からの自然光の取り入れが可能なデイコーナー４８を備えている。又、第３居室領域Ａ３ｃと第４居室領域Ａ３ｄとの間には、各第１窓１３及び第２窓１４からの自然光の取り入れが可能なデイコーナー４９を備えている。これにより、光熱費の削減を図りながら、各デイコーナー４８，４９を明るく快適にすることができ、各デイコーナー４８，４９での見舞客や患者などの居心地を良くすることができる。
【００４５】
要するに、この医療施設においては、同一病棟階に、患者の多様な症状や要望に応じた異なる種類の病室２１，４１〜４４を備えることができる。これにより、各患者に居心地の良い空間を提供しながら、同一病棟階のスタッフにより、様々な症状の患者の要望に応えることができる。又、見舞客やスタッフにも明るくて快適な環境を提供することができるとともに、スタッフに作業効率の良い医療環境を提供することができる。その結果、効率の良い医療施設の経営などを実現することができる。
【００４６】
又、第２構造部２を剛構造に構成する上においては、前述したように、構造柱としての強度を有する複数の壁柱１１と複数の梁１２とを剛接合したラーメン構造により、居室側外周壁Ｂを剛構造に構成した上で、この居室側外周壁Ｂと、ラーメン構造により剛構造に構成した第１構造部１とを、高強度を有する床用構造体８にて接合している。これにより、通路領域Ａ２と各居室領域Ａ３とのそれぞれに複数の構造柱を配備する必要がない。又、居室側外周壁Ｂを構成する上において、複数の構造柱が居室側外周壁Ｂの内壁面から各居室領域Ａ３に張り出す不具合を無くすことができる。これにより、通路領域Ａ２の通路幅や各居室領域Ａ３での間取りなどを計画する上において、複数の構造柱による制約がなくなるとともに、通路領域Ａ２及び各居室領域Ａ３を無駄なく使用することができる。
【００４７】
図３及び図４に示すように、各傾斜壁柱１１Ｂは、厚みの薄い雑壁５０を備えている。
そして、各傾斜壁柱１１Ｂのうち、ベッド４５に対向する各傾斜壁柱１１Ｂは、雑壁５０との厚みの差を活用して、傾斜壁柱１１Ｂと化粧壁５１との間に排気チャンバ５２を備えている。各排気チャンバ５２は、床用構造体８の近くに備えた吸込みスリット５３から各ベッド周辺の臭気を吸込み、各排気チャンバ５２の上部に接続した排気ダクト５４を介して、第２窓１４の上部に備えた排気部５５から屋外に排出するように構成している。これにより、各ベッド上で患者の看護を行う際に発生する臭気が隣のベッド４５に及ぶことを防止している。
【００４８】
排気ダクト５４及び排気部５５は天井懐１０に備えている。天井懐１０には、通路領域Ａ２を挟んで対向する居室領域Ａ３と吹抜け１５とにわたる複数の給気ダクト（図示せず）、及び、各吹抜け１５から各居室領域Ａ３への給気を可能にする複数の空調機（図示せず）、などを備えている。そして、複数の空調機、給気ダクト、複数の排気チャンバ５２、及び、複数の排気ダクト５４、などにより、各居室領域Ａ３ごとに、対向する吹抜け１５から居室領域Ａ３に給気し、各居室領域Ａ３から対応する居室領域側の屋外に排気する空気調和ユニット５６を構成している。
【００４９】
これにより、各居室領域Ａ３ごとに配備する空気調和ユニット５６から各吹抜け１５にわたる給気ダクトを、対向する居室領域Ａ３と吹抜け１５とにわたって最短に形成することができる。つまり、各空気調和ユニット５６を合理的に配備することができる。
【００５０】
又、対応する吹抜け１５から居室領域Ａ３に給気することにより、各吹抜け１５に対する上方からの新鮮外気の流入を促進させることができる。これにより、各吹抜け１５への新鮮外気の取り入れを良好に行えるとともに、各居室領域Ａ３に供給する空気の清浄性を向上させることができる。
【００５１】
図示は省略するが、この医療施設においては、第１構造部１に耐震壁及びブレースなどの耐震要素を設けて、第１構造部１の剛性及び耐力を高めることにより、第２構造部２の地震時負担せん断力を小さくしている。
【００５２】
〔別実施形態〕
【００５３】
〔１〕第１構造部１を壁式構造により剛構造に構成してもよい。
【００５４】
〔２〕第１構造部１の平面視形状は種々の変更が可能である。例えば、第１構造部１の平面視形状を、八角形などの多角形、円形、Ｌ字形、あるいは、Ｈ字形、などに形成してもよい。
【００５５】
〔３〕第２構造部２の平面視形状は、第１構造部１の平面視形状などに応じて種々の変更が可能である。
【００５６】
〔４〕外壁用構造体１１を構造壁とし、居室側外壁Ｂを壁式構造により剛構造に構成してもよい。
【００５７】
〔５〕図５に示すように、建築物を、平面計画的に、四角形のユーティリティ領域Ａ１と、ユーティリティ領域Ａ１に隣接するコの字形の通路領域Ａ２と、通路領域Ａ２を挟んでユーティリティ領域Ａ１と対向する状態で３面の外壁７Ａ，７Ｃ，７Ｄに沿って設けた３箇所の居室領域Ａ３とを備えるように構成してもよい。この構成では、各外壁７Ａ〜７Ｄのうち、３面の外壁７Ａ，７Ｃ，７Ｄが各居室領域Ａ３に接する居室側外壁Ｂとなっている。これにより、第２構造部２の平面視形状がコの字形になっている。
【００５８】
〔６〕図６に示すように、建築物を、平面計画的に、四角形のユーティリティ領域Ａ１と、ユーティリティ領域Ａ１に隣接するＬ字形の通路領域Ａ２と、通路領域Ａ２を挟んでユーティリティ領域Ａ１と対向する状態で２面の外壁７Ｃ，７Ｄに沿って設けた２箇所の居室領域Ａ３とを備えるように構成してもよい。この構成では、各外壁７Ａ〜７Ｄのうち、隣接する２面の外壁７Ｃ，７Ｄが各居室領域Ａ３に接する居室側外壁Ｂとなっている。これにより、第２構造部２の平面視形状がＬ字形になっている。
【００５９】
〔７〕図７に示すように、建築物を、平面計画的に、四角形のユーティリティ領域Ａ１と、ユーティリティ領域Ａ１に隣接する一対の通路領域Ａ２と、通路領域Ａ２を挟んでユーティリティ領域Ａ１と対向する状態で２面の外壁７Ｂ，７Ｄに沿って設けた２箇所の居室領域Ａ３とを備えるように構成してもよい。この構成では、各外壁７Ａ〜７Ｄのうち、対向する２面の外壁７Ｂ，７Ｄが各居室領域Ａ３に接する居室側外壁Ｂとなっている。これにより、第２構造部２として、平面視で第１構造部１を挟む状態で配置する一対の第２構造部２を備える構成となっている。
【００６０】
〔８〕図８に示すように、建築物は、通路領域Ａ２の形状や配置、及び、居室領域Ａ３の数量や配置、などが異なる複数の建物（図８では３棟の建物）Ｚ１〜Ｚ３を渡り廊下５７などで連結したものであってもよい。
【００６１】
〔９〕図５〜８に示すように、居室側外壁Ｂにおける平行配置領域Ｂａ及び雁行配置領域Ｂｂの配置設定は、居室側外壁Ｂが面する屋外の環境などに応じて種々の変更が可能である。ちなみに、図示は省略するが、例えば、複数の居室側外壁Ｂのそれぞれが外庭や森林などに面している場合には、各居室側外壁Ｂのそれぞれが平行配置領域Ｂａとなるように設定してもよい。又、複数の居室側外壁Ｂのそれぞれが民家や一般道などに面している場合には、各居室側外壁Ｂのそれぞれが雁行配置領域Ｂｂとなるように設定してもよい。又、単一の居室側外壁Ｂが、外庭や森林などに面する第１領域と民家や一般道などに面する第２領域とを有する場合には、単一の居室側外壁Ｂにおける第１領域が平行配置領域Ｂａとなり、第２領域が雁行配置領域Ｂｂとなるように設定してもよい。
【００６２】
〔１０〕ユーティリティ領域Ａ１での区画設定は、建築物の使用目的、ユーティリティ領域Ａ１の使用目的、及び、ユーティリティ領域Ａ１の形状、などに応じて種々の変更が可能である。例えば、ユーティリティ領域Ａ１などでの快適性の向上を図るために、より多くの吹抜け１５を備えるようにしてもよい。又、居室２１での居住性の向上を図るために、居室スペース１６の拡張を図るようにしてもよい。
【００６３】
〔１１〕居室領域Ａ３での居室４１〜４４の区画設定は、建築物の使用目的、居室領域Ａ３の形状、及び、入居者の要望、などに応じて種々の変更が可能である。例えば、居室側外周壁Ｂの平行配置領域Ｂａに沿って備える居室領域Ａ３においては、壁際の４床分の各領域に、ベッド４５を、壁際を頭部側とした面一壁柱１１Ａに対する直交姿勢で配備する、いわゆるＩＣＵ型四床室を備えるように区画設定してもよい。
【００６４】
〔１２〕床用構造体８を、フラットスラブ、又は、複数の小梁などと一体に打設したコンクリートスラブ、などで構成してもよい。又、床用構造体８を、第１構造部１と各外壁７Ａ〜７Ｄとにわたる複数の小梁で支持するように構成してもよい。
【００６５】
〔１３〕空気調和ユニット５６は、換気のみを行うように構成したものであってもよく、又、換気に加えて温度調節などを行うように構成したものであってもよい。又、空気調和ユニット５６は、対応する居室領域側の屋外から給気し、吹抜け１５に排気するように構成してもよい。
【００６６】
〔１４〕建築物の階層数は、平屋を含め、種々の変更が可能である。
【産業上の利用可能性】
【００６７】
本発明は、平面計画的に、ユーティリティ領域と、ユーティリティ領域に隣接する通路領域と、通路領域を挟んでユーティリティ領域と対向する状態で外壁に沿って設けた居室領域とを備えた、医療施設、介護施設、宿泊施設、及び、集合住宅、などの建築物に適用することができる。
【符号の説明】
【００６８】
１    第１構造部
２    第２構造部
７Ａ  外壁
７Ｂ  外壁
７Ｃ  外壁
７Ｄ  外壁
８    床用構造体
１１  外壁用構造体
１２  梁
１５  吹抜け
２１  居室
５６  空気調和ユニット
Ａ１  ユーティリティ領域
Ａ２  通路領域
Ａ３  居室領域
Ｂ    居室側外壁
Ｂａ  平行配置領域
Ｂｂ  雁行配置領域
【図１】
0006482887.tif 000002
【図２】
0006482887.tif 000003
【図３】
0006482887.tif 000004
【図４】
0006482887.tif 000005
【図５】
0006482887.tif 000006
【図６】
0006482887.tif 000007
【図７】
0006482887.tif 000008
【図８】
0006482887.tif 000009